(57)【要約】【課題】  先ず、二種類の圧縮空気を使用する場合には、エアーホースリールは当然としてエアーコンプレッサも含めて二組の装置を必要とした。  その中で、ホースリールをエアータンクと兼用した場合、エアータンクそのものが回転する為に、容積の関係から、また回転させるハンドルが重たくなることから、エアータンクの容量を大きくすることが困難であった。【解決手段】  圧縮空気を送り込む入口ホース１５１に接続している巻き取りホース１３を巻いた回転リール１２を架台１１Ａ、１１Ｂに装着したエアーホースリールに於いて、入口ホース１５１と巻き取りホース１３の間に圧力の異なる二種類のレギュレータ１５、１６を設け二種類の圧縮空気を使用可能とした。【選択図】図１
2008297124.tif 000002
【特許請求の範囲】
【請求項１】
圧縮空気を送り込む入口ホース（１５１）に接続している巻き取りホース（１３）を巻いた回転リール（１２）を架台（１１Ａ、１１Ｂ）に装着したエアーホースリールに於いて、前記入口ホース（１５１）と前記巻き取りホース（１３）の間に圧力の異なる二種類のレギュレータ（１５、１６）を設け二種類の圧縮空気を使用可能としたことを特徴とするエアーホースリール。
【請求項２】
前記入口ホース（１５１）と前記巻き取りホース（１３）の間にエアータンク（１１Ａ、１１Ｂ）を位置させ、前記エアータンク（１１Ａ、１１Ｂ）に圧力の異なる二種類の前記レギュレータ（１５、１６）を設けたことを特徴とする請求項１に記載のエアーホースリール。
【請求項３】
前記エアータンク（１１Ａ、１１Ｂ）から、高圧用レギュレータ（１６）と回転継手（１４）を経由して前記巻き取りホース（１３）に接続することを特徴とする請求項２に記載のエアーホースリール。
【請求項４】
前記架台（１１Ａ、１１Ｂ）を圧縮空気を貯蔵する前記エアータンク（１１Ａ、１１Ｂ）と兼用したことを特徴とする請求項２または請求項３に記載のエアーホースリール。
【請求項５】
前記エアータンク（１１Ａ、１１Ｂ）は、パイプ材によって形成したものであることを特徴とする請求項４に記載のエアーホースリール。
【請求項６】
前記エアータンク（１１Ａ、１１Ｂ）は、略Ｕ字または略コ字の形状をした前部架台パイプ（１１Ａａ、１１Ｂａ）と後部架台パイプ（１１Ａｂ、１１Ｂｂ）と両者を接続する上部交差パイプ（１１ｃ）によって形成したものであることを特徴とする請求項４または請求項５に記載のエアーホースリール。
【請求項７】
前記エアータンク（１１Ａ、１１Ｂ）には、ドレン水を排出するドレン排出弁（１８）を配設したことを特徴とする請求項４ないし請求項６のいずれか１項に記載のエアーホースリール。
【請求項８】
前記エアータンク（１１Ｂ）の前記ドレン排出弁（１８）に、ドレン水が集まるようにドレン水集中手段（１１ｆ、１１ｇ、１１ｈ、１１ｊ、１１ｋ）を設けたことを特徴とする請求項７に記載のエアーホースリール。
【請求項９】
前記ドレン水集中手段（１１ｆ、１１ｇ、１１ｈ、１１ｊ、１１ｋ）は、下部前部パイプ（１１ｇ）と下部後部パイプ（１１ｈ）と下部平行パイプ（１１ｊ、１１ｋ）と底板（１１ｆ）によって形成されたものであることを特徴とする請求項８に記載のエアーホースリール。
【発明の詳細な説明】
【技術分野】
【０００１】  本発明は、二種類の圧縮空気を使用可能とした更にエアータンクを付設したエアーホースリールに関する技術について述べたものである。
【背景技術】
【０００２】  従来の、エアーホースリールに関する技術としては、一種類の圧縮空気を使用することに限定され、二種類の圧縮空気を使用可能とするものは無く、一方エアータンクを付設した送給用ホースの巻付けドラム本体（本願発明の回転リールに該当）をエアータンクとしたものはあった（例えば、特許文献１参照）。【０００３】  この場合、特許文献１の第１図に見られるように、矩形状に組合わされたフレーム２の左右両端部にはドラム支持板２ａ、２ｂが固設され、該支持板２ａ、２ｂの略中央部を貫通して支軸１６ａ、１６ｂが回転自在に支承される。  支軸１６ｂの１端はフランジ４ｂに固定されると共に、他端は回転ハンドル５に連結される。  一方支軸１６ａはフランジ４ａを貫通して貯留タンク９に連結される。  該支軸１６ａは中空の管状物で構成され、その一方端は貯留タンク９内に連通し、他方端は継手７を介して圧縮空気供給側のホース６と連結される。  フランジ４ａ及び４ｂは板状の連結材１０によって結合され、該連結材１０の内側に設けられた貯留タンク９と共にドラム本体３を形成している。  但し、あくまでも一種類の圧縮空気を使用することに限定されている。
【特許文献１】実開昭６３−１４８６８１
【発明の開示】
【発明が解決しようとする課題】
【０００４】  しかしながら、このような従来の技術に関しては、以下に示すような課題があった。【０００５】  先ず、二種類の圧縮空気を使用する場合には、エアーホースリールは当然としてエアーコンプレッサも含めて二組の装置を必要とした。【０００６】  その中で、ホースリールをエアータンクと兼用した場合、エアータンクそのものが回転する為に、容積の関係から、また回転させるハンドルが重たくなることから、エアータンクの容量を大きくすることが困難であった。  また、貯蔵する圧縮空気を高圧にすればするほど構造的に強固なものを必要とし、それが重量の増大に繋がっていた。【０００７】  また、ホースリールをエアータンクと兼用した場合、ホースリールを回転させる間にエアータンク内に溜まったドレン水が、ホースリールのホースや圧縮空気を使用する各種の空圧機器に流れていくという問題があった。  特に、ポリウレタン製のホースは、加水分解をおこす為に水に弱く、更に各種の空圧機器にドレン水がまわると、スティックや錆付き等の悪影響を及ぼすという問題をおこしていた。【０００８】  更には、エアータンクにはエアータンク内に溜まったドレン水を排出する為の弁を配設する必要があるが、回転するエアータンクに配設した弁の位置によってはドレン水を排出することが出来ず、また外部に突起している弁は、ホースリールを兼用しているエアータンクを回転させる際には邪魔であった。
【課題を解決するための手段】
【０００９】  本発明は、圧縮空気を送り込む入口ホース１５１に接続している巻き取りホース１３を巻いた回転リール１２を架台１１Ａ、１１Ｂに装着したエアーホースリールに於いて、前記入口ホース１５１と前記巻き取りホース１３の間に圧力の異なる二種類のレギュレータ１５、１６を設け二種類の圧縮空気を使用可能としたことを特徴とし、更には、前記入口ホース１５１と前記巻き取りホース１３の間にエアータンク１１Ａ、１１Ｂを位置させ、前記エアータンク１１Ａ、１１Ｂに圧力の異なる二種類の前記レギュレータ１５、１６を設けたことを特徴とし、更には、前記エアータンク１１Ａ、１１Ｂから、高圧用レギュレータ１６と回転継手１４を経由して前記巻き取りホース１３に接続することを特徴とし、更には、前記架台１１Ａ、１１Ｂを圧縮空気を貯蔵する前記エアータンク１１Ａ、１１Ｂと兼用したことを特徴とし、更には、前記エアータンク１１Ａ、１１Ｂは、パイプ材によって形成したものであることを特徴とし、更には、前記エアータンク１１Ａ、１１Ｂは、略Ｕ字または略コ字の形状をした前部架台パイプ１１Ａａ、１１Ｂａと後部架台パイプ１１Ａｂ、１１Ｂｂと両者を接続する上部交差パイプ１１ｃによって形成したものであることを特徴とし、更には、前記エアータンク１１Ａ、１１Ｂには、ドレン水を排出するドレン排出弁１８を配設したことを特徴とし、更には、前記エアータンク１１Ｂの前記ドレン排出弁１８に、ドレン水が集まるようにドレン水集中手段１１ｆ、１１ｇ、１１ｈ、１１ｊ、１１ｋを設けたことを特徴とし、更には、前記ドレン水集中手段１１ｆ、１１ｇ、１１ｈ、１１ｊ、１１ｋは、下部前部パイプ１１ｇと下部後部パイプ１１ｈと下部平行パイプ１１ｊ、１１ｋと底板１１ｆによって形成されたものであることを特徴とすることによって、上記課題を解決したのである。
【発明の効果】
【００１０】  以上の説明から明らかなように、本発明によって、以下に示すような効果をあげることが出来る。【００１１】  第一に、入口ホースと巻き取りホースの間に圧力の異なる二種類のレギュレータを設け二種類の圧縮空気を使用可能としたことで、二種類の圧縮空気を使用する場合でも一組の装置で対応することが可能となった。【００１２】  第二に、入口ホースと巻き取りホースの間にエアータンクを位置させ、エアータンクに圧力の異なる二種類のレギュレータを設けたことで、安定して圧縮空気を供給することが可能となった。【００１３】  第三に、エアータンクから、高圧用レギュレータと回転継手を経由して巻き取りホースに接続することで、高圧の圧縮空気を巻き取りホースの先端から供給することが可能となった。【００１４】  第四に、架台をエアータンクと兼用したことで、エアータンクは常に回転するようなこともなく固定されたものとなり、ドレン水を気にすることは不用となった。  また、エアータンクには、ドレン水を排出するドレン排出弁を配設することで、ドレン抜きも容易になった。【００１５】  第五に、エアータンクは、パイプ材によって形成したことで、容量としての能力も含めタンクとしての圧力や構造物として強度の面で充分に対応することが可能となった。【００１６】  第六に、エアータンクは、前部架台パイプと後部架台パイプと両者を接続する上部交差パイプによって形成することで、更に必要に応じてドレン水集中手段でもある下部前部パイプと下部後部パイプと下部平行パイプを形成することで、容量の点でかなりの対応が可能となった。【００１７】  第七に、エアータンクのドレン排出弁に、ドレン水が集まるようにドレン水集中手段を設け、ドレン水集中手段は、下部前部パイプと下部後部パイプと下部平行パイプと底板によって、よって最も低い位置を確保することが可能になるということで、ほぼ完全にドレン水を排出することが出来る様になった。
【発明を実施するための最良の形態】
【００１８】  以下、本発明の実施の形態を図面と共に詳細に説明する。
ここで、図１は、本願発明の正面図であり、図２は、本願発明の断面図であり、図３は、本願発明の別の内容を示した正面図であり、図４は、本願発明の別の内容を示した断面図であり、図５は本願発明のフロー図である。【００１９】（第一の実施例）
図１と図２と図５に見られるように、１０Ａは高圧用エアーホースリールであって、主要な構成としては、架台１１Ａとエアータンク１１Ａを兼用し、数十メートルの所に圧縮空気を送る為のホースである巻き取りホース１３を巻いた回転リール１２から成り立っていて、巻き取りホース１３を送り出したり巻き取ったりする為に回転リール１２を回転させることが可能な状態で架台１１Ａに装着されている。【００２０】  そして、架台１１Ａを兼用しているエアータンク１１Ａは、図１に見られるように、略Ｕ字の形状のものを逆さにした前部架台パイプ１１Ａａと同様に略Ｕ字の形状のものを逆さにした後部架台パイプ１１Ａｂと両者を接続する上部交差パイプ１１ｃによって一体に形成されたものを主体としている。  この場合、前部架台パイプ１１Ａａと後部架台パイプ１１Ａｂと上部交差パイプ１１ｃは、中空のパイプ材を使用していて、前部架台パイプ１１Ａａと後部架台パイプ１１Ａｂの下部に位置している４枚の底板１１ｆと共に溶接によって一体に形成され、エアータンク１１Ａとしての機能を果たすことが出来るように中空の気密状態の構造物になっている。  尚、パイプ材の材料としては、アルミニウムやステンレス鋼を含む合金鋼や炭素鋼等が考えられる。【００２１】  但し、前述の前部架台パイプ１１Ａａと後部架台パイプ１１Ａｂに関して述べると、図１に見られるように、パイプ材を折り曲げた略Ｕ字の形状を逆さにしたものを示しているが、パイプ材を折り曲げた略コ字の形状のものや、三本のパイプ材をコ字の形状に溶接したものや、二本のパイプ材の間に一本の板材をコ字の形状に溶接したものも考えられる。当然のことながら、各パイプ材の間に於いては、上部交差パイプ１１ｃに該当する一本又は複数本のパイプ材によって接続することで、エアータンク１１Ａとしての機能を果たすことが出来るように連通した中空の一体になった気密状態の構造物に形成する必要はあるということは言える。【００２２】  更に、架台１１Ａであるエアータンク１１Ａには、前部架台パイプ１１Ａａと後部架台パイプ１１Ａｂと上部交差パイプ１１ｃに加えて回転リール１２を回転させることが可能な状態で架台１１Ａに装着出来るように、前部架台パイプ１１Ａａと後部架台パイプ１１Ａｂの略中央部の各々に、上部交差パイプ１１ｃとねじれの状態で、その略中央部に回転リール１２が装着出来るように穴の貫通した前部支持板１１ｄと後部支持板１１ｅも溶接することで一体に形成されている。【００２３】  従って、架台１１Ａであるエアータンク１１Ａとして一体となっている前部支持板１１ｄと後部支持板１１ｅに形成された前後二つの穴の間に形成された中心線は上部交差パイプ１１ｃと平行に位置していることになり、その中心線上に回転リール１２が位置することになる。  但し、前部支持板１１ｄと後部支持板１１ｅに関しては、一体になっていれば溶接にこだわる必要は無く、ネジで構成することも考えられる。【００２４】  また、架台１１Ａであるエアータンク１１Ａとして一体となっている前部支持板１１ｄと後部支持板１１ｅの略中央部の貫通した穴の周囲には、後述の回転する回転リール１２の回転磨耗に対処する意味で、前部軸受１１ｒと後部軸受１１ｓも締まり嵌��の状態で一体に構成している。【００２５】  尚、エアータンク１１Ａの何れかの箇所には、エアーコンプレッサからの圧縮空気を流入させる入口ホース１５１を接続し、前部架台パイプ１１Ａａと後部架台パイプ１１Ａｂの最下部４箇所には、エアータンク１１Ａに溜まったドレン水を排出することが出来るドレン排出弁１８を接続している。  そして、前部架台パイプ１１Ａａと後部架台パイプ１１Ａｂの最下部４箇所には、各種の振動を和らげる目的と高さを調整する目的でブーツ１９を位置させている。  当然のことながら、入口ホース１５１は、エアーコンプレッサーに接続していることになる。【００２６】  従って、架台１１Ａであるエアータンク１１Ａは、前部架台パイプ１１Ａａと、後部架台パイプ１１Ａｂと、上部交差パイプ１１ｃと、底板１１ｆと、前部支持板１１ｄと、後部支持板１１ｅと、前部軸受１１ｒと、後部軸受１１ｓと、ドレン排出弁１８と、ブーツ１９より成されていることになる。【００２７】  一方、回転リール１２は、円筒の形状を成している回転リール本体１２ａに対して、前部フランジ１２ｂと後部フランジ１２ｃが溶接または鋲螺類によって一体に成されていて、また回転リール１２の中心線上に位置している前部中空軸１２ｄと後部軸１２ｅも、溶接または螺合によって一体に成されていて、更に前部中空軸１２ｄと巻き取りホースを接続する回転継手ホース間配管１５６と、回転リール１２を架台１１Ａ上で回転させる為にハンドル１７も一体に成している。【００２８】  この場合、回転リール本体１２ａに対して、前部フランジ１２ｂと後部フランジ１２ｃ、または前部中空軸１２ｄと後部軸１２ｅに関しては、一方を溶接によってもう一方を鋲螺類や螺合によって一体に成すようなことも考えられる。  当然のことながら、回転継手ホース間配管１５６は、一端の方には前部中空軸１２ｄを介して回転継手１４と接続し、更に他の一端の方には回転リール１２に巻いている巻き取りホース１３に接続しているのである。【００２９】  ここで、回転リール１２は、回転リール本体１２ａに対して前部フランジ１２ｂと後部フランジ１２ｃ、及び前部中空軸１２ｄと後部軸１２ｅが、溶接によってまたは鋲螺類や螺合によって、時には一方を溶接によってもう一方を鋲螺類や螺合によって一体に形成または構成されることの意味するところは、回転リール１２を架台１１Ａであるエアータンク１１Ａに装着するための、組み立てる際の便宜を考えとの事である。【００３０】  ところで、後部軸１２ｅには、回転リール１２を架台１１Ａ上で回転させる為にハンドル１７を配設するようになっている。  この場合、ハンドル１７は、具体的に図示してはいないが、本体と取っ手とバネとピンから構成されることになり、使用されない時は取っ手を倒すことで邪魔にならないように配慮している。【００３１】  また、前部中空軸１２ｄには、螺合によって固定部と回転可能部を構成した回転継手１４が接続している。  そして、回転リール１２内に於いては、圧縮空気が回転継手１４から前部中空軸１２ｄを介して、回転継手ホース間配管１５６を経由して巻き取りホース１３に送られるようになっている。【００３２】  更に、回転継手１４には、エアータンク１１Ａからの圧縮空気が、タンクレギュレータ間配管１５４と、高い圧力に制御する高圧用レギュレータ１６と、レギュレータ回転継手間ホース１５５を経由して送り込まれるようになっている。【００３３】  尚、エアータンク１１Ａからの圧縮空気が、タンクレギュレータ間配管１５２と、低い圧力に制御する低圧用レギュレータ１５と、低圧の圧縮空気を供給することが可能なホース１５３を経由して送り込まれるようにもなっている。【００３４】  この場合、高圧用レギュレータ１６と低圧用レギュレータ１５は、架台１１Ａであるエアータンク１１Ａに一体に位置している。  尚、高圧用レギュレータ１６と低圧用レギュレータ１５に関しては、高圧と低圧を入れ替えて使用することも可能としており、それらの点も考慮してレギュレータ１５、１６という表現を使用しているのである。【００３５】  これ等の構成を具体的な一つの例として示すと、前部架台パイプ１１Ａａと後部架台パイプ１１Ａｂと上部交差パイプ１１ｃのパイプ材として、外形５０ｍｍで厚さ２ｍｍのアルミパイプ材によって、容積４．５リットル程度のエアータンク１１Ａが可能であり、３．３ＭＰａの圧縮空気を貯蔵した後に、１ＭＰａ以下の低圧用の圧縮空気や２〜３．３ＭＰａの高圧用の圧縮空気を供給することが考えられる。  また、外形４８．６ｍｍで厚さ２．８ｍｍのアルミパイプ材によって、容積４．５リットル程度のエアータンク１１Ａが可能であり、２．９４ＭＰａの圧縮空気を貯蔵した後に、０，１〜０．７８ＭＰａの低圧用の圧縮空気や０．５〜２．５ＭＰａの高圧用の圧縮空気を供給することが考えられる。  但し、記載したこれ等の値に関しては、その値に限定されるものでは無く、その他の値も考えられる。【００３６】  本発明による、エアーホースリールは前述したように構成されており、以下にその動作について説明する。【００３７】  先ず、具体的に図示していないが、入口ホース１５１の上流側に接続しているエアーコンプレッサより圧縮空気が入口ホース１５１を経由して、架台１１Ａであるエアータンク１１Ａに流入する。  この場合、圧縮空気の圧力としては、２〜４ＭＰａの範囲のものが考えられる。【００３８】  ここで、エアータンク１１Ａに流入した圧縮空気は、低圧用レギュレータ１５と高圧用レギュレータ１６を経由することで低圧と高圧の二種類の圧縮空気の利用が可能となっている。  ここで最も大切なことは、前述までの一例として、圧力に関係する色々な値を述べてきたが、個々の値には関係無く圧力の違う二種類の圧縮空気の利用が可能であるということである。【００３９】  この場合、低圧の圧縮空気は、エアータンク１１Ａからタンクレギュレータ間配管１５２と低圧用レギュレータ１５とホース１５３を経由して低圧の圧縮空気を使用する空圧機器に供給可能となっている。【００４０】  また、高圧の圧縮空気は、エアータンク１１Ａからタンクレギュレータ間配管１５４と高圧用レギュレータ１６とレギュレータ回転継手間ホース１５５と回転継手１４と前部中空軸１２ｄと回転継手ホース間配管１５６を経由して巻き取りホース１３に送られ高圧の圧縮空気を使用する空圧機器に供給可能となっている。【００４１】  当然のことながら、高圧の圧縮空気が巻き取りホース１３に��られることに限定される必要はなく、エアータンク１１Ａからタンクレギュレータ間配管１５４とレギュレータ１６とレギュレータ回転継手間ホース１５５と回転継手１４と前部中空軸１２ｄと回転継手ホース間配管１５６を経由して巻き取りホース１３に送られ低圧の圧縮空気を使用する空圧機器に供給可能となっている。【００４２】  その様な状況の中で、巻き取りホース１３を送り出す際には、巻き取りホース１３の先端部を引っ張って行く事で送り出す事が可能であるが、回転リール１２に巻き取るに際には、ハンドルを使用することになる。【００４３】  所で、この高圧用エアーホースリール１０Ａを使用していると、エアータンク１１Ａの下部にドレン水が溜まる場合がある。  その際には、前部架台パイプ１１Ａａと後部架台パイプ１１Ａｂの下部に配設してある４箇所のドレン排出弁１８を各々開放することでドレン水を排出することが出来るようになっている。【００４４】（第二の実施例）
図３と図４と図５に見られるように、１０Ｂは高圧用エアーホースリールであって、主要な構成としては、架台１１Ｂとエアータンク１１Ｂを兼用し、数十メートルの所に圧縮空気を送る為のホースである巻き取りホース１３を巻いた回転リール１２から成り立っていて、巻き取りホース１３を送り出したり巻き取ったりする為に回転リール１２を回転させることが可能な状態で架台１１Ｂに装着されている。【００４５】  従って、第二の実施例が第一の実施例と異なる点は、架台１１Ｂと兼用しているエアータンク１１Ｂの構造、特にドレン水集中手段１１ｆ、１１ｇ、１１ｈ、１１ｊ、１１ｋということになる。【００４６】  この場合、架台１１Ｂを兼用しているエアータンク１１Ｂは、図３に見られるように、略Ｕ字の形状のものを逆さにした前部架台パイプ１１Ｂａと同様に略Ｕ字の形状のものを逆さにした後部架台パイプ１１Ｂｂと両者を接続する上部交差パイプ１１ｃによって一体に形成されたものを主体としている。  この場合、前部架台パイプ１１Ｂａと後部架台パイプ１１Ｂｂと上部交差パイプ１１ｃは、中空のパイプ材を使用していて、前部架台パイプ１１Ｂａと後部架台パイプ１１Ｂｂの下部に位置している４枚の底板１１ｆと共に溶接によって一体に形成され、エアータンク１１Ｂとしての機能を果たすことが出来るように中空の気密状態の構造物になっている。【００４７】  次に、第二の実施例の架台１１Ｂを兼用しているエアータンク１１Ｂが、第一の実施例の架台１１Ａを兼用しているエアータンク１１Ａとの異なる点を具体的に述べるならば、ドレン水集中手段１１ｆ、１１ｇ、１１ｈ、１１ｊ、１１ｋを形成していることである。この場合には、図３に見られるように、先ず前部架台パイプ１１Ｂａと後部架台パイプ１１Ｂｂの各々で、略Ｕ字の形状のものを逆さにした状態の下部先端をパイプ材である下部前部パイプ１１ｇと下部後部パイプ１１ｈによって各々環状に溶接によって一体に形成しているのである。【００４８】  そして、上記内容に加えて、次に前部架台パイプ１１Ｂａと後部架台パイプ１１Ｂｂの両者を跨ぐ形で、略Ｕ字の形状のものを逆さにした状態の下部先端の各々を、パイプ材である下部平行パイプ１１ｊ、１１ｋによって上部交差パイプ１１ｃと概ね平行になるように溶接によって一体に形成し、その結果としてこれら下部前部パイプ１１ｇと下部後部パイプ１１ｈ及び下部平行パイプ１１ｊ、１１ｋの四本のパイプが前部架台パイプ１１Ｂａと後部架台パイプ１１Ｂｂを介すことにより、概ね水平面の状態で四角形で環状に流体が流れるように一体に形成され、同時に交差する四箇所の前部架台パイプ１１Ｂａと後部架台パイプ１１Ｂｂの下部の部分を底板１１ｆで溶接することによって中空の構造物として密閉したのである。【００４９】  その際、環状に形成された下部前部パイプ１１ｇと下部後部パイプ１１ｈ及び下部平行パイプ１１ｊ、１１ｋ全体をわずかでも傾斜を持たせ、四箇所の底板１１ｆの上面とこの下部前部パイプ１１ｇと下部後部パイプ１１ｈ及び下部平行パイプ１１ｊ、１１ｋの下面を一致させることで、四箇所の底板１１ｆの上面の何れか一箇所に最も低い位置を形成することが可能となり、従って最も低い位置を形成した底板１１ｆの上面に全てのドレン水が集まることになり、その底板１１ｆの上面の近傍にドレン排出弁１８を配設することでドレン水の確実な排出が可能になるのである。【００５０】  尚、前述したように下部の四箇所の環状に形成されたパイプ全体をわずかでも傾斜させることによって、密閉の目的で底板１１ｆを溶接する相手側である前部架台パイプ１１Ｂａと後部架台パイプ１１Ｂｂの下部は、高さが異なることになる。  その対応としては、厚さの違う底板１１ｆを準備するか、高さの違うブーツ１９を準備するか、底板１１ｆとブーツ１９の間に高さの違いに応じて図示していないシムによって高さを調整することが考えられる。【００５１】  この場合、環状に形成された下部前部パイプ１１ｇと下部後部パイプ１１ｈ及び下部平行パイプ１１ｊ、１１ｋのパイプに関しては、単にドレン水を流すだけであれば細いパイプでも構わないが、エアータンク１１Ｂの容量を大きくしたい場合には太いパイプを使用することも考えられる。  また、環状に形成された下部前部パイプ１１ｇと下部後部パイプ１１ｈ及び下部平行パイプ１１ｊ、１１ｋのパイプやドレン排出弁１８が地面に接近しすぎて問題が有りということであれば、底板１１ｆを厚くするとか、高いブーツ１９を使用することも考えられる。  尚、前部架台パイプ１１Ｂａと後部架台パイプ１１Ｂｂの形状や、回転リール１２の取り付けや、前部軸受１１ｒと後部軸受１１ｓ等に関しては、第一の実施例と同じ内容になるので詳細を記載することは省略する。【００５２】  この他にも、ドレン水集中手段に関しては、前述の構成に限定する必要は無く、下部前部パイプ１１ｇと下部後部パイプ１１ｈと下部平行パイプ１１ｊ、１１ｋを形成しない形でドレン排出弁１８を上部交差パイプ１１ｃの何れか一方の端部に上向きに位置させ、一方ドレン水が溜まったと思われる時点で高圧用エアーホースリール１０Ｂ全体を逆さの状態にし、上部交差パイプ１１ｃの方向に多少傾斜する台を準備する中で逆さの状態のままでエアーホースリール１０Ｂをその台に載置することで、傾斜を利用してドレン水を一箇所に集め、最終的に下向きに位置させたドレン排出弁１８からドレン水を排出するようなことも考えられる。【００５３】  所で、回転リール１２に関しては、一切の構造や周辺に位置している部品も含め、接続している入口ホース１５１や、低圧用レギュレータ１５でもあるレギュレータ１５や高圧用レギュレータ１６でもあるレギュレータ１６やそれに接続しているホースや、巻き取りホース１３も含めて、またハンドル１７についても、更に低圧と高圧を含めて流れる二種類の圧縮空気についても、第一の実施例と同じ内容になるので詳細を記載することは省略する。【００５４】  従って、架台１１Ｂであるエアータンク１１Ｂは、前部架台パイプ１１Ｂａと、後部架台パイプ１１Ｂｂと、上部交差パイプ１１ｃと、底板１１ｆと、前部支持板１１ｄと、後部支持板１１ｅと、下部前部パイプ１１ｇと、下部後部パイプ１１ｈと、下部平行パイプ１１ｊ、１１ｋと、前部軸受１１ｒと、後部軸受１１ｓと、ドレン排出弁１８と、ブーツ１９より成されていることになる。【００５５】  本発明による、エアーホースリールは前述したように構成されており、以下にその動作について説明する。【００５６】  この場合、第一の実施例と異なる内容としては、この高圧用エアーホースリール１０Ｂを使用していると、エアータンク１１Ｂの下部にドレン水が溜まる際に一箇所にまとまった状態になっているということである。  その際には、傾斜している下部前部パイプ１１ｇと下部後部パイプ１１ｈ及び下部平行パイプ１１ｊ、１１ｋによって、ドレン水がどこか一箇所の底板１１ｆ集まることで、前部架台パイプ１１Ｂａと後部架台パイプ１１Ｂｂの下部の何れかの場所に配設してある一箇所のドレン排出弁１８を開放することだけでドレン水全体を排出することが出来るのである。【００５７】  一方、別のドレン水集中手段に関しては、ドレン水の溜まった高圧用エアーホースリール１０Ｂを逆さにしてドレン排出弁１８が低い側に位置するように準備された傾斜する台に置く。  そこで、ドレン水がドレン排出弁１８の所に集まった頃を見計らってドレン排出弁１８を開放する。  当然のことながら、排出後に逆さにした高圧用エアーホースリール１０Ｂは元の正しい位置に戻す。  この、ドレン水集中手段に関しては、エアータンク１１Ａの第一の実施例にも適用することは可能である。【００５８】  尚、第一の実施例で記載している、エアータンク１１Ａに流入した圧縮空気が圧力の違う二種類の圧縮空気を利用することが可能であるという内容については、圧縮空気が流入してエアータンク１１Ｂに貯蔵され、ホース１５３や巻き取りホース１３から送り出される動作に関することと併せて、第一の実施例と同じ内容になるので詳細を記載することは省略する。【００５９】  ところで、第一の実施例と第二の実施例共に、架台１１Ａ、１１Ｂとエアータンク１１Ａ、１１Ｂを兼用した事例しか示していないが、この例に限定される必要は無く回転リールそのものをエアータンクとして使用することも考えられる。  また、エアータンク１１Ａ、１１Ｂを構成しない状態で入口ホース１５１と巻き取りホース１３の間に圧力の異なる二種類のレギュレータ１５、１６を設けて二種類の圧縮空気を使用可能とすることも考えられる。【００６０】  また、第一の実施例と第二の実施例共に、エアータンク１１Ａ、１１Ｂから、高圧用レギュレータ１６と回転継手１４を経由して前記巻き取りホース１３に接続する事例しか示していないが、この例に限定される必要は無くエアータンク１１Ａ、１１Ｂから、低圧用レギュレータと回転継手１４を経由して前記巻き取りホース１３に接続することも考えられる。【００６１】  更に、第一の実施例と第二の実施例共に、一方の圧縮空気は巻き取りホース１３から他方の圧縮空気はホース１５３から送り出すようになっていて、この場合には二種類の圧縮空気を同時に使用することが出来るが、二種類の圧縮空気を同時に使用することが出来なくても良ければ、二種類の圧縮空気を巻き取りホース１３から送り出すことは容易なことである。
【産業上の利用可能性】
【００６２】  この発明は、エアーホースリールに関するものであり、特に高圧と低圧の両方の圧縮空気を供給することが可能な技術について述べたものである。
【図面の簡単な説明】
【００６３】
【図１】  本願発明の正面図
【図２】  本願発明の断面図
【図３】  本願発明の別の内容を示した正面図
【図４】  本願発明の別の内容を示した断面図
【図５】  本願発明のフロー図
【符号の説明】
【００６４】１０Ａ・・・・・高圧用エアーホースリール
１０Ｂ・・・・・高圧用エアーホースリール
１１Ａ・・・・・エアータンク（架台）
１１Ｂ・・・・・エアータンク（架台）
１１Ａａ・・・・前部架台パイプ
１１Ａｂ・・・・後部架台パイプ
１１Ｂａ・・・・前部架台パイプ
１１Ｂｂ・・・・後部架台パイプ
１１ｃ・・・・・上部交差パイプ
１１ｄ・・・・・前部支持板
１１ｅ・・・・・後部支持板
１１ｆ・・・・・底板（ドレン水集中手段）
１１ｇ・・・・・下部前部パイプ（ドレン水集中手段）
１１ｈ・・・・・下部後部パイプ（ドレン水集中手段）
１１ｊ・・・・・下部平行パイプ（ドレン水集中手段）
１１ｋ・・・・・下部平行パイプ（ドレン水集中手段）
１１ｒ・・・・・前部軸受
１１ｓ・・・・・後部軸受
１２・・・・・・回転リール
１２ａ・・・・・回転リール本体
１２ｂ・・・・・前部フランジ
１２ｃ・・・・・後部フランジ
１２ｄ・・・・・前部中空軸
１２ｅ・・・・・後部軸
１３・・・・・・巻き取りホース
１４・・・・・・回転継手
１５・・・・・・低圧用レギュレータ（レギュレータ）
１６・・・・・・高圧用レギュレータ（レギュレータ）
１７・・・・・・ハンドル
１８・・・・・・ドレン排出弁
１９・・・・・・ブーツ
１５１・・・・・入口ホース
１５２・・・・・タンクレギュレータ間配管
１５３・・・・・ホース
１５４・・・・・タンクレギュレータ間配管
１５５・・・・・レギュレータ回転継手間ホース
１５６・・・・・回転継手ホース間配管
【図１】
2008297124.tif 000003
【図２】
2008297124.tif 000004
【図３】
2008297124.tif 000005
【図４】
2008297124.tif 000006
【図５】
2008297124.tif 000007